(57)【要約】【課題】着用時に身頃と袖との境界部分でのシルエットが美しい無縫製の袖付きニットウエアの編成方法を提供する。【解決手段】横編機を用いて筒状の身頃と袖を編成しながら接合を行う際、前身頃側において、身頃2と袖3との接合部分に、この身頃2と袖3との接合部分に沿って折り目が形成されるように寄与する少なくとも１本のウェールにより折り目形成部5を形成し、この折り目形成部5を、身頃2を編成する編組織および袖3を編成する編組織とは異なる編組織で編成する。折り目形成部5におけるウェールの編密度は、身頃2を編成する編組織および袖3を編成する編組織の編密度より低い編密度とすることが好ましい。【選択図】図３
2006176912.tif 000002
【特許請求の範囲】
【請求項１】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて筒状の身頃と筒状の袖を編成しながら接合を行う際のニットウエアの編成方法であって、
少なくとも前身頃側において、身頃と袖との接合部分に、この身頃と袖との接合部分に沿って折り目が形成されるように寄与する少なくとも１本のウェールにより折り目形成部を形成し、この折り目形成部を、身頃を編成する編組織および袖を編成する編組織とは異なる編組織で編成することを特徴とする袖付きニットウエアの編成方法。
【請求項２】
折り目形成部を形成するウェールの編密度が、身頃を編成する編組織および袖を編成する編組織の編密度より低い編密度であることを特徴とする請求項１に記載の袖付きニットウエアの編成方法。
【請求項３】
請求項２に記載のニットウエアの編成方法は、以下のステップで行うことを特徴とする；
a)  前のコースの編目に連続して身頃および袖の編地のウェールと共に折り目形成部となるウェールの編目を形成するステップ
b)  ステップaで形成された折り目形成部となるウェールの編目を対向する針床に目移しするステップ
c)  ステップbで目移しされている編目を有するウェールをミスしながら身頃および袖の編地のウェールを編成するステップ
d)  ステップbで目移しされている編目を元のウェールに戻すステップ
e)  前記ステップaからステップdを繰り返すステップ。
【請求項４】
身頃と袖とが無縫製で接合されているニットウエアであって、少なくとも前身頃側において身頃と袖との接合部分にこの身頃と袖との接合部分に沿って折り目が形成されるように寄与する少なくとも１本のウェールからなる折り目形成部が、身頃を編成する編組織および袖を編成する編組織とは異なる編組織で形成されていることを特徴とするニットウエア。
【発明の詳細な説明】
【技術分野】
【０００１】
本発明は、身頃と袖とが無縫製で接合されるニットウエアの編成方法に関する。
【背景技術】
【０００２】
ニットウエアには、前身頃、後身頃、右袖、左袖を縫い合わせて作製されるものと、身頃と左右の袖をそれぞれ個別に筒状に編成していき、これら筒状の編地を袖付け部分で編成しながら接合していく、いわゆる無縫製で作製されるもの（例えば特許文献１参照）とがある。
【０００３】
無縫製のニットウエアの場合は、身頃と袖とが接合され始めると１つの筒状となって身頃と袖とが連続して編成されていき、肩を伏せ目処理してニットウエアが完成する。無縫製のニットウエアは、身頃と袖とが縫い合わされるのではなく、編みながら身頃と袖とが接合されていくので、着用時に、接合部分での違和感がなく、軽くてシルエットも美しい。
【０００４】
【特許文献１】特開平１０−２２６９４７号公報
【発明の開示】
【発明が解決しようとする課題】
【０００５】
しかしながら、無縫製のニットウエアの場合、身頃と袖とが接合され始めると１つの筒状として編成されていくので、身頃と袖の接合部分にははっきりとした境界が現れない。その結果、ニットウエアを着用した際に、編成パターンにおける袖ぐりの形状に沿って編地が変形するのではなく、編地に前身頃や前袖の腕の付け根付近から肩にかけて、不自然な大きな皺が発生することがある。
【０００６】
なお、身頃と袖の接合中に、身頃と袖の編幅を狭くしていくために、身頃と袖との接合付近で編目を重ねる部分が生じる。この重ね目はファッションマークとなって、編成パターンによる仮想の身頃と袖の接合ラインに沿って現れるが、このファッションマークに沿って編地が変形するとも限らない。
【０００７】
本発明は、以上の実情に鑑みて開発したものであって、ニットウエア着用時における身頃と袖との接合部分でのシルエットが美しい無縫製の袖付きニットウエアおよびその編成方法を提供することを目的とする。
【課題を解決するための手段】
【０００８】
本発明は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて筒状の身頃と筒状の袖を編成しながら接合を行う際のニットウエアの編成方法である。
【０００９】
本発明の袖付きニットウエアの編成方法は、少なくとも前身頃側において、身頃と袖との接合部分に、この身頃と袖との接合部分に沿って折り目が形成されるように寄与する少なくとも１本のウェールにより折り目形成部を形成し、この折り目形成部を、身頃を編成する編組織および袖を編成する編組織とは異なる編組織で編成することを特徴とする。さらに、折り目形成部を形成するウェールの編密度は、身頃を編成する編組織および袖を編成する編組織の編密度より低い編密度とすることが好ましい。
【００１０】
特に、本発明の袖付きニットウエアの編成方法は、筒状編地の接合工程において以下のステップで行うことが好ましい。
a)  前のコースの編目に連続して身頃および袖の編地のウェールと共に折り目形成部となるウェールの編目を形成するステップ。
b)  ステップaで形成された折り目形成部となるウェールの編目を対向する針床に目移しするステップ。
c)  ステップbで目移しされている編目を有するウェールをミスしながら身頃および袖の編地のウェールを編成するステップ。
d)  ステップbで目移しされている編目を元のウェールに戻すステップ。
e)  前記ステップaからステップdを繰り返すステップ。
【００１１】
このように編成することにより、身頃と袖との折り目形成部となるウェールは、２コース中に、ミスの糸と、このミスの糸の下を潜る１つの編目が存在する編組織となり、この編組織が１つのウェールに連続して形成されることになる。そして、この編組織のウェールが身頃と袖の編地の編組織に対して編密度が低い編組織となって、身頃と袖の折り目形成部となる。
【００１２】
身頃と袖とが無縫製で接合されているニットウエアを、前記した編成方法で編成する場合には、前記した編組織のウェールで形成される折り目形成部を有したニットウエアを作製できる。
【００１３】
本発明の編成方法で編成されたニットウエアは、例えば、身頃と袖の編成を平編みで編成していく場合、前記した折り目形成部のウェールは、隣接するウェール（身頃と袖の編地）の編組織に対して、編目が大きく、ミスの糸がウェール方向に規則的に並んだ状態となって編地の表面に現れる。
【００１４】
そして、この折り目形成部のウェールは、他の隣接するウェール（身頃と袖の編地）の編組織に比べて編密度が低いので、この折り目形成部で、編地の変形が吸収され、折り目形成部が折り目となる。
【００１５】
なお、本発明の編地の編成方法は、セーター、カーディガンなど、身頃に袖を接合するニットウエアであれば、セットインタイプ、ラグランタイプの何れにも適用できる。
【発明の効果】
【００１６】
本発明の編成方法によれば、身頃と袖の折り目形成部となるウェールは、身頃および袖の編地の編組織と異なる編組織で形成しているので、この身頃と袖の折り目形成部で折り目が形成され易くなる。
さらに、身頃と袖の折り目形成部となるウェールは、身頃および袖の編地の編組織に対して編密度が低い編組織とする場合には、編密度が高い場合よりも折り目形成部での折り目の形成が行われ易い。特に、前記したミスの糸が存在する編密度が低い編組織の編成方法で、折り目形成部のウェールを形成する場合には、ニットウエアの着用時において、編地の変形をこの折り目形成部のウェールで吸収しやすくなる。
【００１７】
従って、本発明では、ニットウエアの着用時に、この折り目形成部が折り目となり、編地の変形を折り目形成部で吸収できるので、編地に不自然な皺が入らなくなり、常に美しいシルエットが得られる。
【発明を実施するための最良の形態】
【００１８】
次に本発明の好適な実施の形態を図面と共に以下に詳細に説明する。本実施形態は、左右方向に延び、かつ、前後方向に互いに対向する前後一対の針床を有し、後針床が左右にラッキング可能で、しかも、前後の針床間で編目の目移しが可能ないわゆる２枚ベッドの横編機を用いてニットウエアを製作する。
【００１９】
２枚ベッドの横編機は、筒状のニットウエアを編成する場合、前後の各針床においてそれぞれ１本おきの針を用いて編成を行うようにしている。例えば、前針床の奇数番目の針を主として前身頃や袖の前側編地などのニットウエアの前側部分の編地を編成するために用い、後針床の偶数番目の針を主として後身頃や袖の後側編地などのニットウエアの後側部分を編成するために用いる。
【００２０】
さらに、２枚ベッドの横編機を用いる場合、前側編地部を編成する際に後側編地部を後針床の針に付属させ、反対に後側編地部を編成する際に前側編地部を前針床の針に付属させて、前後の編地を重ね合わせた状態で編地を編成することで、前後の編地部はそれぞれ対向する針床上に目移し用の空針を常に確保できる。
【００２１】
これら空針を用いることにより、リンクス、ガーター、リブなどの表目と裏目が混在した組織柄を編成したり、袖や身頃の編目をコース方向に移動させて互いに接合することができるようになっている。
【００２２】
また、２枚ベッドの横編機を用いる場合、前後針床の一方または両方の上位にトランスファージャックを列設したトランスファージャックベッドを設けて編地を編成するようにしてもよい。
【００２３】
なお、本実施形態では、２枚ベッドの横編機を用いてニットウエアを編成するようにしているが、本発明は、上部前針床、下部前針床、上部後針床、そして下部後針床からなる４枚ベッドの横編機を用いて編成することもできる。
【００２４】
４枚ベッドの横編機を用いる場合には、例えば、下部前針床に編地の前側部分を付属させ、下部後針床に編地の後側部分を付属させる。そして、上部後針床を前側部分の編地を編成する際の空針として前側部分の編地の目移し、裏目の形成等に用い、上部前針床を後側部分の編地を編成する際の空針として後側部分の編地の目移し、裏目の形成等に用いる。
【００２５】
本実施形態は、上記２枚ベッドの横編機を用いて、袖を有するニットウエアを編成するのであって、身頃と袖の接合部分においては、身頃と袖を１つの連続した筒状となるように編成して接合する。
【００２６】
図１は、セーターの正面図である。図２は本発明の編成方法の編成工程図を示す。図３の編目状態図は、セーターの身頃と袖との接合付近の編地の状態を示す。
【００２７】
本実施形態で編成されるセーター1は、丸首の衿ぐりを有する長袖タイプのセーターで、身頃2、右袖3、左袖4を有している。身頃2は、図１に示すように、裾部21、脇部22、袖ぐり部23、肩ライン部24、衿ぐり部25を有している。
【００２８】
本実施形態では、身頃2は、前身頃と後身頃とが筒状に編成され、左右の袖3,4も筒状に編成される。なお、本実施形態では、身頃、袖の左右を表す用語、例えば、右袖3や左袖4などの右と左は、セーター1を着用した状態の着用者を基準にしている。
【００２９】
次に、本実施形態のセーター1の編成手順について説明する。本実施形態では、身頃2の後身頃、右袖3および左袖4の後側編地は、主として後針床上の偶数番目の針を使用して編成される。身頃2の前身頃、右袖3および左袖4の前側編地は、主として前針床上の奇数番目の針を使用して編成される。
【００３０】
セーター1における身頃2、袖3,4の編組織は、説明の便宜上、平編みの無地とし、身頃2の裾部21と袖3,4の袖口部分31,41はリブ編みとしているが、身頃2、右袖3、左袖4は、ジャガードやリブ等の組織柄のものであってもよい。
【００３１】
まず、身頃編成用と左右の袖編成用に３つの給糸口を用意し、各給糸口から針床の針に編糸を供給して、右袖3、身頃2、左袖4の３つの筒状体を編成していく。
【００３２】
身頃2は、図１に示すように、裾から袖との接合開始位置まで筒状に編成していき、左袖4と右袖3は、袖口から身頃2との接合開始位置まで筒状に編成していく。そして、身頃2と袖3,4とが接合され始めると、身頃2と左袖4と右袖3とが統合させて１つの筒状体となる。
【００３３】
身頃2と袖3,4の接合は、袖ぐり部23の下端から袖ぐり部23の上端となる肩ライン部24の袖側端部位置まで行われる。
【００３４】
本実施形態では、身頃2と袖3,4の接合が始まって、１つの筒状になったときから、身頃2と袖3,4の折り目形成部となるウェールを、身頃2及び袖3,4の編地の編組織とは異なる編組織となるように編成して、袖ぐり部23のラインと一致する折り目形成部5を形成する。本実施形態では、前身頃側にのみ折り目形成部5を形成した場合について説明する。
【００３５】
以下、本実施形態の折り目形成部5を形成するための具体的な編成方法について図２に基づいて説明する。なお、身頃2と袖3,4との接合部に襠を形成する場合には、この襠の形成が完了した後に、折り目形成部の形成を行う。
【００３６】
本実施形態では、身頃2と袖3,4を１つの筒状に編成していくが、説明の便宜上、空針を省略し、後側編地の編成についての詳しい説明も省略し、前側編地の編成についてのみ詳しく説明を行う。また、図２および図３の下部に示すアルファベットは前針床の針を示している。
【００３７】
身頃2と袖3,4とが連続した１つの筒状となった後、前のコースの編目に連続するように、前後の編地部を１コース編成する（ステップ１）。
【００３８】
次に、身頃2と右袖3との境界Aにおいて、右袖3の身頃2との接合側端部の編目、図２おいて編針ｕに係止されている編目を対向する後針床の空針に移し、身頃2と左袖4との境界Bにおいて、右袖3の身頃2との接合側端部の編目、図２おいて編針eに係止されている編目を対向する後針床の空針に移す（ステップ２）。これら目移しされた編目を有するウェールが身頃2と袖3,4の折り目形成部5となる。
【００３９】
ステップ２で目移しされている編目を有するウェールをミスしながら、他のウェールである身頃2と袖3,4の編地部を編成する（ステップ３）。
【００４０】
そして、ステップ２で目移しされている編目を元の針（u,e）に戻す（ステップ４）。
【００４１】
これらステップ１からステップ４の工程を折り目形成部5の終点まで繰り返す（ステップ５）。なお、ステップ１からステップ４を繰り返して編成している間において、必要な場合には、編目を減らすために重ね目を形成しながら編成していく。
【００４２】
以上のステップ１からステップ４の編成を繰り返し行うことにより、身頃2と袖3,4との折り目形成部5となるウェールは、図３に示すように、２コース中に、ミスの糸51と、このミスの糸51の下を潜る１つの編目52が存在する編組織となり、この編組織が１つのウェールに対して連続して形成されることになる。この折り目形成部5となるウェールは、隣接するウェール（身頃2と袖3,4の編地部分）の編組織に対して編目が大きく、ミスの糸が順次規則的に並んだ状態で編地の表面に現れ、このウェールにより身頃2と袖3,4との折り目形成部5が形成される。
【００４３】
そして、この折り目形成部5は、他の編組織（身頃と袖の編地部分）に比べて編密度が低いので、皺が発生する際には、折り目形成部5が袖の折り目となって、この折り目形成部5で編地の変形を吸収できる。その結果、袖3,4と身頃2の接合部分の編地に不自然な皺が入らなくなる。
【００４４】
本実施形態では、前身頃側にのみ、折り目形成部を形成した場合について説明したが、後身頃側にも、前身頃側に形成した折り目形成部と同様の編成方法で折り目形成部を形成することができる。
【００４５】
なお、折り目形成部は、その編組織として、前記した実施形態の編組織に限らず、袖と身頃との接合部分で折り目の形成に寄与できる構成であれば、種々のものが考えられる。例えば、前記したミスを編目の上側ではなく、下側にくるように編成してもよい。また、折り目形成部のウェールを全てミスして編成するようにして、コース数を実質的に減らすようにしてもよい。さらに、ニットとタックを組み合わせて折り目形成部を編成してもよいし、タックとミスを組み合わせて折り目形成部を編成してもよい。折り目形成部を度詰めにより形成してもよい。折り目形成部を度詰めにより形成する場合には、横編機で編成するコース数は前記した実施形態と同じであるが、折り目形成部は目が詰んだ状態となり、折り目形成部が折り目の形成に寄与される。
【００４６】
また、前記した実施形態では、折り目形成部のウェールは１本であったが、１本に限らず、２本以上としてもよい。さらに、コース編成ごとにウェールの本数を増減させて、折り目形成部の幅を変化させるようにしてもよい。さらに、折り目形成部のウェール方向の長さも自由に設定することができる。さらに、折り目形成部は、ファッションマークと重ねるようにして、このファッションマークと同じ箇所に形成するようにしてもよい。
【産業上の利用可能性】
【００４７】
本発明の編成方法およびニットウエアは、無縫製で袖付きのニットウエアを編成する横編機を用いる場合に適している。
【図面の簡単な説明】
【００４８】
【図１】本発明にかかるニットウエアの正面図である。
【図２】本発明にかかるニットウエアの身頃と袖の接合部分の編成工程図である。
【図３】本発明にかかるニットウエアの身頃と袖の接合部分の編目状態図である。
【符号の説明】
【００４９】
1  セーター    
2  身頃      
21  裾部      22  脇部      23  袖ぐり部      24  肩ライン部      25  衿ぐり部
3  右袖      4  左袖      31,41  袖口部分
5  折り目形成部    51  ミスの糸      52  編目
【図１】
2006176912.tif 000003
【図２】
2006176912.tif 000004
【図３】
2006176912.tif 000005